(57)【要約】【課題】  観光施設において利用者の要望に応じた多様な写真撮影などの記念データ取得を行う。【解決手段】  撮影パス１１０に登録端末１２０で利用者データＤＢを登録した利用者１０２は、希望する撮影端末１３０で撮影パス１１０をタッチする。すると、撮影パス１１０のＩＤデータＤＡが読み取られるとともに、撮影手順が表示部１３６や音声出力部１３８に出力される。利用者１０２は、それらの音声や表示に従って写真撮影を行う。カメラ１３４によって撮影された写真データＤＣは、ＩＤデータＤＡ・利用者データＤＢと関連付けてデータメモリ１４０に保存され、更には通信部１４２から管理サーバ１５０に送信される。管理サーバ１５０では、通信部１５２によって撮影端末１３０から受信した各データＤＡ〜ＤＣがデータメモリ１５４に格納されるとともに、利用者データＤＢのメールアドレスに写真のダウンロードが可能な旨のメールを送信する。利用者１０２は、メールを参照し、希望する写真データＤＣを取得する。【選択図】図３
2018073220.tif 000002
【特許請求の範囲】
【請求項１】
観光施設内で記念データを取得して、希望する利用者に提供する記念データ取得・提供システムであって、
前記利用者を特定するＩＤを検出するＩＤ検出手段，
前記記念データを取得する記念データ取得手段，
このデータ取得手段で取得した記念データを、前記ＩＤ検出手段で検出したＩＤと関連付けて保存するデータ保存手段，
このデータ保存手段に保存された記念データを、そのＩＤの利用者に提供するデータ提供手段，
を備えたことを特徴とする記念データ取得・提供システム。
【請求項２】
前記ＩＤ検出手段は、前記利用者が購入した撮影パスに記録されているＩＤを検出することを特徴とする請求項１記載の記念データ取得・提供システム。
【請求項３】
前記ＩＤ検出手段は、前記利用者が持っている携帯端末からＩＤを検出することを特徴とする請求項１記載の記念データ取得・提供システム。
【請求項４】
前記ＩＤに、利用者が希望する言語もしくは前記観光施設に対する入場時刻のデータの少なくとも一方が含まれていることを特徴とする請求項１〜３のいずれか一項に記載の記念データ取得・提供システム。
【請求項５】
前記記念データ取得手段は、前記観光施設内に設けられたカメラであることを特徴とする請求項１〜４のいずれか一項に記載の記念データ取得・提供システム。
【請求項６】
前記カメラを、前記利用者が記念データを取得できない位置に設けたことを特徴とする請求項５記載の記念データ取得・提供システム。
【請求項７】
前記記念データ取得手段は、撮影の手順を示す表示手段もしくは音声出力手段の少なくとも一方を備えていることを特徴とする請求項５記載の記念データ取得・提供システム。
【請求項８】
前記記念データ取得手段は、前記撮影パスに記録されているＩＤを検出し、取得した記念データと関連付けて前記データ保存手段に送信することを特徴とする請求項２記載の記念データ取得・提供システム。
【請求項９】
前記データ提供手段から提供された記念データを、前記利用者側で取得して保存するデータ取得手段，
を備えたことを特徴とする請求項１〜８のいずれか一項に記載の記念データ取得・提供システム。
【発明の詳細な説明】
【技術分野】
【０００１】
本発明は、観光地，遊園地などの各種の観光施設において記念写真などの記念データを取得し、利用者に提供する記念データ取得・提供システムに関するものである。
【背景技術】
【０００２】
観光地等においては、記念撮影を行う専門の写真撮影業者があり、背景に著名な景色が入るような場所に撮影用の機材を準備して記念撮影を行っている。多くは団体客が、集合写真の撮影を行っているが、昨今は、観光に対するニーズが、団体型から個人型ないしグループ型に変化しており、記念撮影についても、多様な要望が生まれている。
【０００３】
例えば、下記特許文献１に開示された「入場券、写真印刷装置、及び写真提供システム」では、有料施設に入場した記念品としての価値を高めた入場券とすることを目的として、入場券の券面に写真の印刷領域を示す写真挿入部を設け、遊園地内に設置した写真印刷装置によって、撮影した写真を写真挿入部の領域内に当てはめて印刷するようにしている。
【先行技術文献】
【特許文献】
【０００４】
【特許文献１】特開2008-304988号公報
【発明の概要】
【発明が解決しようとする課題】
【０００５】
しかしながら、上述した背景技術では、撮影した写真が入場券に印刷されるにすぎず、自分のアルバムに貼って残すとか、デジタルデータとして保存するといったことができず、必ずしも満足し得るものではない。
【０００６】
本発明は、以上のような点に着目したもので、その目的は、観光施設において利用者の要望に応じた多様な写真撮影などの記念データ取得を行うことである。他の目的は、取得した記念データを利用者に提供し、各種の用途への活用を可能とすることである。
【課題を解決するための手段】
【０００７】
本発明は、観光施設内（観光対象２００，ジェットコースター４００）で記念データ（写真データＤＣ，ＤＱ，ＤＸ）を取得して、希望する利用者に提供する記念データ取得・提供システム（記念撮影システム１００，４００）であって、前記利用者を特定するＩＤ（ＩＤデータＤＡ）を検出するＩＤ検出手段（撮影端末１３０，データリーダー１３２，１３２Ａ〜１３２Ｃ，入場ゲート３００，ＩＤリーダー５０２），前記記念データを取得する記念データ取得手段（撮影端末１３０，１３０Ｂ〜１３０Ｃ，携帯撮影端末５００），このデータ取得手段で取得した記念データを、前記ＩＤ検出手段で検出したＩＤと関連付けて保存するデータ保存手段（管理サーバ１５０，４２０，データメモリ１４０，４２４，５０６），このデータ保存手段に保存された記念データを、そのＩＤの利用者（利用者端末１６０）に提供するデータ提供手段（管理サーバ１５０，４２０，通信部１５２，４２２），を備えたことを特徴とする。
【０００８】
主要な形態の一つによれば、前記ＩＤ検出手段は、前記利用者が購入した撮影パス（１１０，１１０Ａ〜１１０Ｃ）に記録されているＩＤ（ＩＤデータＤＡ）を検出することを特徴とする。あるいは、前記ＩＤ検出手段は、前記利用者が持っている携帯端末（３１０）からＩＤ（ＵＵＩＤデータＤＰ）を検出することを特徴とする。
【０００９】
他の形態によれば、前記ＩＤに、利用者が希望する言語もしくは前記観光施設に対する入場時刻のデータの少なくとも一方が含まれていることを特徴とする。また、他の形態によれば、前記記念データ取得手段は、前記観光施設内に設けられたカメラ（１３４，１３４Ａ〜１３４Ｃ，４１０Ａ〜４１０Ｃ，５０４）であることを特徴とする。あるいは、前記カメラ（４１０Ａ〜４１０Ｃ）を、前記利用者が記念データを取得できない位置に設けたことを特徴とする。
【００１０】
更に他の形態によれば、前記記念データ取得手段（撮影端末１３０）は、撮影の手順を示す表示手段（１３６）もしくは音声出力手段（１３８）の少なくとも一方を備えていることを特徴とする。あるいは、前記記念データ取得手段は、前記撮影パスに記録されているＩＤを検出し、取得した記念データと関連付けて前記データ保存手段（管理サーバ１５０，データメモリ１５４）に送信することを特徴とする。更には、前記データ提供手段から提供された記念データを、前記利用者側で取得して保存するデータ取得手段（利用者端末１６０，携帯端末３１０）を備えたことを特徴とする。本発明の前記及び他の目的，特徴，利点は、以下の詳細な説明及び添付図面から明瞭になろう。
【発明の効果】
【００１１】
本発明によれば、利用者を特定するＩＤを取得するとともに、このＩＤと関連付けて写真などの記念データを保存し、前記ＩＤに該当する利用者に提供することとしたので、観光施設において利用者の要望に応じた多様な写真撮影などの記念データ取得を行うことができ、利用者は、取得した記念データを各種の用途に活用できるといった効果がある。
【図面の簡単な説明】
【００１２】
【図１】本発明の実施例１の全体構成を示すブロック図である。
【図２】前記実施例１における撮影パスの例を示す図である。
【図３】前記実施例１の適用例を示す図である。
【図４】本発明の実施例２を示す図である。
【図５】本発明の実施例３を示す図である。
【発明を実施するための形態】
【００１３】
以下、本発明を実施するための最良の形態を、実施例に基づいて詳細に説明する。
【実施例１】
【００１４】
最初に、図１〜図３を参照しながら本発明の実施例１の記念撮影システム１００を説明する。図１には、本発明の実施例１の基本的な構成が示されている。本実施例は、観光地や遊園地などの入場者が撮影パス１１０を購入して、本発明の写真撮影を行う場合の例である。記念撮影を希望する利用者１０２は、撮影パス１１０を売店等で入手する。撮影パス１１０は、予めＩＤデータＤＡが記録された接触式あるいは非接触式のカードで、例えばＮＦＣ（近距離無線通信技術）に適合したカードである。
【００１５】
この撮影パス１１０と利用者１０２との対応関係は、登録端末１２０において、利用者１０２の氏名，メールアドレス，言語，・・・などの利用者データＤＢを入力することで、関連付けられるようになっている。登録端末１２０は、登録処理を行う登録処理部１２１，登録手順を示す表示部１２２，撮影パス１１０に対する利用者データＤＢの書き込みを行うデータライター１２４，利用者の氏名などを入力するデータ入力部１２６，を備えている。登録端末１２０の設置台数や設置位置は、必要に応じて適宜決めてよい。
【００１６】
これらのうち、登録処理部１２１は、撮影パス１１０に対する利用者データＤＢの入力処理を行うもので、予め用意されたプログラムをコンピュータで実行することで実現される。表示部１２２は、入力手順や入力データを表示するためのディスプレイである。データライター１２４は、撮影パス１１０に対する利用者データＤＢの書き込みを行うためのものである。データ入力部１２６は、利用者データＤＢを入力するためのもので、キーボード式，タッチパネル式，など、各種のものを利用してよい。利用者１０２が所有するスマートホンなどに表示した氏名などを読み取るようにしてもよいし、赤外線通信などによってスマートホンの利用者データＤＢを読み取るようにしてもよい。
【００１７】
利用者１０２が入場する観光地内であって、記念撮影に適した箇所には、撮影端末１３０が設置されている。撮影端末１３０は、撮影処理を行う撮影処理部１３１，上述した撮影パス１１０からデータを読み取るためのデータリーダー１３２，写真を撮影するカメラ１３４，各種表示を行う表示部１３６，音声を出力する音声出力部１３８，データリーダー１３２で読み取ったデータＤＡ，ＤＢやカメラ１３４で撮影した写真データＤＣを格納するデータメモリ１４０，写真データＤＣをＩＤデータＤＡや利用者データＤＢとともに管理サーバ１５０に送信する通信部１４２を備えている。
【００１８】
これらのうち、撮影処理部１３１は、ＩＤデータＤＡや利用者データＤＢの読み取り，写真撮影，写真データＤＣの保存，前記データＤＡ〜ＤＣの送信といった処理を行うもので、予め用意されたプログラムをコンピュータで実行することで実現される。表示部１３６は、写真撮影の手順を表示するためのものであり、音声出力部１３８は、撮影時にガイド音声を出力するためのものである。これらの表示や音声の言語は、撮影パス１１０に記録されている利用者データＤＢを参照して決定される。撮影端末１３０の設置台数は、必要に応じて適宜増減してよい。
【００１９】
システム全体を管理する管理サーバ１５０は、撮影端末１３０から送信された各データＤＡ〜ＤＣを集積するとともに、利用者端末１６０に写真データＤＣを供給するためのものである。前記各データＤＡ〜ＤＣの受信，保存，送信といった管理処理を行う管理処理部１５１，データの授受を行う通信部１５２，受信した各データＤＡ〜ＤＣを蓄積するデータメモリ１５４を備えている。管理処理部１５１は、予め用意されたプログラムをコンピュータで実行することで実現される。また、データメモリ１５４には、通信部１５２によって受信した撮影端末１３０からの多数の前記各データＤＡ〜ＤＣが、順次蓄積されるようになっている。利用者端末１６０としては、パソコン，スマートホンなど、各種のデータ受信可能な機器が該当する。
【００２０】
図２には、上述した撮影パス１１０の各種の形態が示されている。同図(A)の撮影パス１１０Ａは、一般的な形状のカードで、図示の例では富士山が描かれている。同図(B)の撮影パス１１０Ｂは、形状を観光名所の建物の形としたもので、図示の例では韮山の反射炉の形状となっている。同図(C)の撮影パス１１０Ｃは、リストバンドタイプの例である。
【００２１】
図３は、撮影端末１３０の配置例を示している。観光対象２００を囲む周囲３か所に、撮影端末１３０Ａ〜１３０Ｃが配置されている。例えば、撮影端末１３０Ａで撮影を行うときは、利用者１０２Ａが観光対象２００の前に立ち、カメラ１３４Ａを向くようにする。この状態でカメラ１３４Ａで写真を撮ると、観光対象２００を背景に利用者１０２Ａが映った記念写真を撮ることができる。利用者１０２Ａが立つ位置を、地面にマーキングしておくようにしてもよい。他の撮影端末１３０Ｂ，１３０Ｃについても同様である。
【００２２】
次に、本実施例の全体的動作について説明する。観光地内で、本システムによる記念撮影を希望する利用者１０２は、売店などの窓口で撮影パス１１０を購入する。そして、登録端末１２０において、データライター１２４に撮影パス１１０を挿入する。すると、登録処理部１２１が動作を開始し、表示部１２２に登録手順が表示される。このとき、表示画面上で言語を選択できるようになっている。利用者１０２がデータ入力部１２６で氏名，メールアドレス，言語などの利用者データＤＢの入力を行うと、それらが表示部１２２に表示されるとともに、入力された利用者データＤＢは、データライター１２４によって撮影パス１１０に記録される。記録後、撮影パス１１０はデータライター１２４から排出される。
【００２３】
次に、登録を終えた利用者１０２は、記念撮影をしたい撮影端末１３０に行き、撮影パス１１０をデータリーダー１３２にタッチする。すると、撮影端末１３０では、撮影処理部１３１が動作し、データリーダー１３２でＩＤデータＤＡや利用者データＤＢが読み取られ、データメモリ１４０に格納される。また、撮影処理部１３１によって利用者データＤＢから言語が読み取られ、その言語で、音声出力部１３８による撮影ガイド音声出力や、表示部１３６における撮影ガイド表示が行なわれる。利用者１０２は、それらの音声や表示に従って写真撮影を行う。例えば、
(1)撮影位置に、カメラに向かって立ってください。
(2)カメラをよく見てください。
(3)それでは、撮影します。ハイ、チーズ！
(4)撮影を終了しました。
という具合である。
【００２４】
カメラ１３４によって撮影された写真データＤＣは、撮影処理部１３１のデータメモリ１４０に、該当するＩＤデータＤＡ・利用者データＤＢと関連付けて格納され、更には通信部１４２から管理サーバ１５０に送信される。
【００２５】
次に、管理サーバ１５０では、管理処理部１５１が動作しており、通信部１５２によって撮影端末１３０から受信した各データＤＡ〜ＤＣがデータメモリ１５４に格納される。そして、観光地の営業時間の終了など、利用者１０２による一連の記念撮影が終了したと判断したとき、あるいは利用者１０２から要求があったときに、利用者データＤＢのメールアドレスに写真のダウンロードが可能な旨のメールを、前記利用者データＤＢの言語で送信する。このとき、写真データＤＣのサムネイル画像を添付するようにしてもよい。利用者１０２は、メールを参照し、希望する写真データＤＣをダウンロードする。ダウンロードした写真データＤＣは、利用者端末１６０で表示したり、プリントしてアルバムに保存したり、ブログやＳＮＳ（Social Networking Service）に投稿したりして利用される。
【００２６】
以上のように、本実施例によれば、観光地などにおいて撮影パス１１０を購入することで、
ａ，撮影に好適な場所で写真撮影を行うことができる。
ｂ，希望する言語で写真撮影を行うことができる。
ｃ，撮影した記念写真を後から受け取ることができる。
といった効果がある。
【００２７】
なお、上記実施例では、利用者データＤＢを撮影パス１１０に書き込むようにしたが、ＩＤデータＤＡとともに管理サーバ１５０に送信し、管理サーバ１５０で管理するようにしてもよい。その場合、ＩＤデータＤＡを、磁気ストライプやバーコードで撮影パス１１０に記録するようにしてよい。
【実施例２】
【００２８】
次に、図４を参照しながら、本発明の実施例２の記念撮影システム４００について説明する。本実施例は、遊園地のアトラクション（遊具）における写真撮影に本発明を適用した例である。上述した実施例１では、撮影パス１１０に予め付与されているＩＤデータＤＡを利用して写真データＤＣと利用者１０２の関連付けを行ったが、本実施例では、ＵＵＩＤ（Universally Unique Identifier）を利用して、利用者１０２を特定する。ＵＵＩＤは、例えば、近距離無線通信の規格であるiBeaconの仕組みを利用する。
【００２９】
図４(A)に示すように、アトラクションの入場ゲート３００には、ＵＵＩＤ取得端末（ビーコン端末）３０２が設けられている。一方、利用者１０２が所有するスマートフォンなどの携帯端末３１０には、ＵＵＩＤ取得端末３０２から要求があったときにＵＵＩＤを送信するソフトウエア（アプリ）がインストールされている。このソフトウエアを利用して、利用者１０２は記念撮影を希望するかどうかを設定する。上述した言語設定も行うようにしてよい。これにより、写真撮影を希望する利用者１０２が入場ゲート３００を通過すると、利用者１０２の携帯端末３１０から利用者１０２のＵＵＩＤデータＤＰが、ＵＵＩＤ取得端末３０２によって読みとられるようになっている。取得したＵＵＩＤデータＤＰは、通信部３０４によって管理サーバ４２０に送信される。
【００３０】
一方、アトラクションが同図(B)に示すようにジェットコースター４０１であるとすると、レール４０４上を走行するコースター４０２の走行軌跡の好適位置，すなわち記念撮影に好適な位置に、カメラ４１０Ａ〜４１０Ｃがコースター４０２の方向を撮影するように設けられている。カメラ４１０Ａ〜４１０Ｃは、コースター４０２の通過タイミングで写真を撮影し、写真データＤＱは通信部（図示せず）から管理サーバ４２０に送信されるようになっている。管理サーバ４２０には、管理処理部４２１，通信部４２２，データメモリ４２４を備えており、基本的な動作は、前記実施例１と同様である。
【００３１】
次に、本実施例の全体動作を説明する。利用者１０２が入場ゲート３００を通過すると、利用者１０２の携帯端末３１０からＵＵＩＤ取得端末３０２によってＵＵＩＤデータＤＰが読み取られる。読み取られたＵＵＩＤデータＤＰは、通信部３０４によって管理サーバ４２０に送信され、管理サーバ４２０の管理処理部４２１により、通信部４２２を介してデータメモリ４２４に格納される。
【００３２】
次に、利用者１０２はコースター４０２に乗り、コースター４０２はレール４０４上を走行する。一方、コースター４０２の動きに連動した通過タイミングで、カメラ４１０Ａ〜４１０Ｃは、写真撮影を行う。タイミングの制御は、管理サーバ４２０側で行ってもよいし、コースター４０２の出発からの時間をカウントして行ってもよいし、コースター４０２を検知するセンサーを設けて行うようにしてもよい。カメラ４１０Ａ〜４１０Ｃによって撮影された写真データＤＱは、通信部を通じてそれぞれ管理サーバ４２０に送信され、管理サーバ４２０のデータメモリ４２４に格納される。
【００３３】
以上の動作により、管理サーバ４２０のデータメモリ４２４には、写真データＤＱがＵＵＩＤデータＤＰと関連付けられて蓄積される。管理サーバ４２０は、適宜の時点で、ＵＵＩＤデータＤＰが該当する携帯端末３１０に、閲覧通知を送信する。例えば、ＵＵＩＤデータＤＰに対応するメールアドレスを予めアプリに登録しておいて、ＵＵＩＤ取得と同時に携帯端末３１０から取得し、このメールアドレスに閲覧通知を送信する。あるいは、アトラクションの出場ゲートにＵＵＩＤ取得端末を設け、該当するＵＵＩＤデータＤＰを検知したときに、その携帯端末３１０に閲覧通知を送信する。そして、利用者１０２から要求があったときは、該当する写真データＤＱを送信する。利用者１０２は、例えば他のアトラクションの待ち時間などを利用して写真を閲覧することができる。もちろん、閉園後や翌日に閲覧通知を行うようにしてもよい。
【００３４】
以上のように、本実施例によれば、利用者１０２が持っている携帯端末３１０からＵＵＩＤデータＤＰを取得し、これと写真データＤＱを関連付けることとしたので、自分で撮影できないような位置や構図の写真を、簡便な方法で取得することができる。
【実施例３】
【００３５】
次に、図５を参照しながら、実施例３について説明する。前記実施例では、カメラの位置が固定されているため、利用者が希望するところで記念撮影を行うことはできない。そこで、本実施例では、カメラを携帯可能とし、カメラマンが観光地内や公園内を巡回して、利用者の希望に応じて写真撮影を行うようにしたものである。
【００３６】
携帯撮影端末５００は、図５(A)にしめすように、撮影処理部５０１，ＩＤリーダー５０２，カメラ５０４，データメモリ５０６，通信部５０８を備えており、基本的な動作は、前記実施例１の撮影端末１３０と同じである。なお、ＩＤリーダー５０２は、実施例１のような撮影パス１１０のＩＤデータＤＡを読み取ってもよいし、実施例２のようなＵＵＩＤデータＤＰを読み取るようにしてもよい。
【００３７】
本実施例によれば、図５(B)に示すように、カメラマン１０４は、携帯撮影端末５００を携帯して観光地や遊園地の中を巡回する。利用者１０２は、写真撮影をしたいときに、カメラマン１０４に要望し、上述した撮影パス１１０もしくは携帯端末３１０からＩＤデータＤＷをＩＤリーダー５０２で読み取る。そして、カメラマン１０４は、背景やポーズを決めて、写真を撮影する。写真データＤＸは、撮影処理部５０１によってＩＤデータＤＷとともにデータメモリ５０６に格納されるとともに、通信部５０８によって、管理サーバ１５０もしくは４２０に送信される。
【００３８】
以後の動作は、上述した実施例と同様である。本実施例によれば、利用者の要望に応じた敷地内の位置，背景，ポーズ，アングルの写真を、写真技術に精通したカメラマンによって高品質で得ることができる。
【００３９】
なお、本発明は、上述した実施例に限定されるものではなく、本発明の要旨を逸脱しない範囲内において種々変更を加え得ることができる。例えば、以下のものも含まれる。
(1)前記実施例で示した通信部によるデータ送受信は、無線，有線いずれの通信手段でもよいし、インターネットを介して行うようにしてもよい。
(2)利用者を特定するためのＩＤデータとして、携帯電話番号など各種のものを利用してよい。
(3)上述したＵＵＩＤデータＤＰにアトラクションの入場時刻データを含め、この入場時刻データと写真データＤＱを関連付けるようにしてもよい。
(4)前記実施例を組み合わせるようにしてもよい。例えば、実施例１の撮影パス１１０によって前記実施例２の写真撮影を行うようにするといった具合である。
(5)前記実施例では、写真データを扱ったが、静止画に限らず動画であってもよいし、音声データ，テキストデータなど各種のデータを対象としてよい。
(6)また、必ずしも利用者が映った写真のみならず、風景の写真など、各種の写真としてよい。また、露出などの撮影条件を変更した写真を複数枚撮影し、利用者が選択するようにしてもよい。
(7)前記実施例において、利用者１０２が入場ゲート３００を通過して、利用者１０２の携帯端末３１０から利用者１０２のＵＵＩＤデータＤＰが、ＵＵＩＤ取得端末３０２によって読みとられた際に、携帯端末３１０のソフトウエアによって、携帯端末３１０のディスプレイに「ここのアトラクションで撮影サービスを実施しています」といったメッセージを表示したり、URLリンクを表示して、サービスの利用を促進するようにしてもよい。表示するURLリンクとしては、例えば、観光施設内における撮影ポイントを表示するホームページが想定される。メッセージやURLリンクは、管理サーバ４２０から取得すればよい。
(8)本発明が適用される対象としては、観光地，遊園地，動植物園，美術館，博物館など、各種の観光施設が該当する。
【産業上の利用可能性】
【００４０】
本発明によれば、観光施設にカメラなどの記念データ取得手段を設置するとともに、利用者のＩＤと写真などの記念データとを関連付けて保存し、該当する利用者に提供することしたので、多様な写真撮影を行ったり、写真を各種の用途に活用でき、観光地や遊園地の魅力を高め、集客効果の向上に好適である。
【符号の説明】
【００４１】
１００：記念撮影システム
１０２，１０２Ａ〜１０２Ｃ：利用者
１０４：カメラマン
１１０，１１０Ａ〜１１０Ｃ：撮影パス
１２０：登録端末
１２１：登録処理部
１２２：表示部
１２４：データライター
１２６：データ入力部
１３０，１３０Ｂ〜１３０Ｃ：撮影端末
１３１：撮影処理部
１３２，１３２Ａ〜１３２Ｃ：データリーダー
１３４，１３４Ａ〜１３４Ｃ：カメラ
１３６：表示部
１３８：音声出力部
１３１：撮影処理部
１４０：データメモリ
１４２，１４２Ａ〜１４２Ｃ：通信部
１５０：管理サーバ
１５１：管理処理部
１５２：通信部
１５４：データメモリ
１６０：利用者端末
２００：観光対象
３００：入場ゲート
３０２：取得端末
３０４：通信部
３１０：携帯端末
４００：記念撮影システム
４０１：ジェットコースター
４０２：コースター
４０４：レール
４１０Ａ〜４１０Ｃ：カメラ
４２０：管理サーバ
４２１：管理処理部
４２２：通信部
４２４：データメモリ
５００：携帯撮影端末
５０１：撮影処理部
５０２：ＩＤリーダー
５０４：カメラ
５０６：データメモリ
５０８：通信部
ＤＡ：ＩＤデータ
ＤＢ：利用者データ
ＤＣ：写真データ
ＤＰ：ＵＵＩＤデータ
ＤＱ：写真データ
ＤＷ：ＩＤデータ
ＤＸ：写真データ
【図１】
2018073220.tif 000003
【図２】
2018073220.tif 000004
【図３】
2018073220.tif 000005
【図４】
2018073220.tif 000006
【図５】
2018073220.tif 000007